(57)【特許請求の範囲】
【請求項１】
機器のケースの内部に設けられた装着凹部に収容されるケース側コネクタであって、
一対の第１外側面が第１の方向に並んで平行に配置され、一対の第２外側面が前記第１の方向とは異なる第２の方向に並んで平行に配置されたハウジングと、
前記一対の第１外側面にそれぞれ設けられ、前記第１の方向に撓み可能な一対の抜け止め片と、
前記一対の第２外側面にそれぞれ設けられ、前記第２の方向に撓み可能な一対の位置決め片と、
前記一対の抜け止め片の先端部にそれぞれ設けられ、前記装着凹部の内壁に設けられた一対の被係止部と係止することで前記ハウジングが前記装着凹部において抜け止めされる一対の係止部と、
前記第２外側面に突設され、前記装着凹部の内壁に設けられたリブに干渉可能な回り止め突部とを備え、
前記抜け止め片は、前記第１の方向と前記第２の方向の双方に直交する第３の方向に片持ち状をなして延出する形態とされており、
前記位置決め片は、前記抜け止め片とは反対方向に片持ち状をなして延出する形態とされているケース側コネクタ。
【請求項２】
機器のケースの内部に設けられた装着凹部に収容されるケース側コネクタであって、
一対の第１外側面が第１の方向に並んで平行に配置され、一対の第２外側面が前記第１の方向とは異なる第２の方向に並んで平行に配置されたハウジングと、
前記一対の第１外側面にそれぞれ設けられ、前記第１の方向に撓み可能な一対の抜け止め片と、
前記一対の第２外側面にそれぞれ設けられ、前記第２の方向に撓み可能な一対の位置決め片と、
前記一対の抜け止め片の先端部にそれぞれ設けられ、前記装着凹部の内壁に設けられた一対の被係止部と係止することで前記ハウジングが前記装着凹部において抜け止めされる一対の係止部と、
前記第２外側面に突設され、前記装着凹部の内壁に設けられたリブに干渉可能な回り止め突部とを備え、
前記リブは、前記装着凹部の入口部分において前記装着凹部への収容方向とは反対方向に突出して設けられているケース側コネクタ。
【請求項３】
前記抜け止め片は、前記第１の方向と前記第２の方向の双方に直交する第３の方向に片持ち状をなして延出する形態とされている請求項２に記載のケース側コネクタ。
【請求項４】
前記位置決め片は、前記抜け止め片とは反対方向に片持ち状をなして延出する形態とされている請求項３に記載のケース側コネクタ。
【請求項５】
前記回り止め突部は、前記第３の方向において前記一対の位置決め片の先端側にそれぞれ配されている請求項１、請求項３または請求項４に記載のケース側コネクタ。
【請求項６】
前記回り止め突部は、前記一対の第２外側面における一側縁部にそれぞれ片寄って配されている請求項１から請求項５のいずれか一項に記載のケース側コネクタ。
【発明の詳細な説明】
【技術分野】
【０００１】
本明細書によって開示される技術は、ケース側コネクタに関する。
【背景技術】
【０００２】
従来、機器のケースの内部に組み付けられるケース側コネクタとして、特開２０１２−２３４７４４号公報（下記特許文献１）に記載のものが知られている。このケース側コネクタは、前後方向に長い略方形のブロック状をなすケース側ハウジングを有し、ケース内の端子台に凹設された装着凹部に収容される。ケース側ハウジングの外側面には、片持ち状をなす複数の可撓片が弾性変形可能に設けられている。この可撓片は、ケース側ハウジングの４つの外側面にそれぞれ設けられている。一方、端子台の装着凹部には、可撓片の先端部に設けられた抜止部と係止可能な保持突起が設けられている。ケース側コネクタを装着凹部に収容すると、各抜止部が各保持突起に係止することにより、ケース側コネクタが装着凹部に抜け止めされた状態に収容される。
【０００３】
上記ケース側コネクタには、カバー側コネクタが嵌合可能とされている。このカバー側コネクタは、ケース側コネクタに対して芯ずれした状態で嵌合する場合があり、この場合にはケース側ハウジングの可撓片が弾性変形することによってケース側コネクタが平行移動して芯ずれを吸収できるようになっている。また、可撓片の先端部には、フランジが側方に張り出す形態で設けられており、このフランジを装着凹部の内壁に設けられた案内溝に収容することで、ケース側コネクタの回り止めが行われる。
【先行技術文献】
【特許文献】
【０００４】
【特許文献１】特開２０１２−２３４７４４号公報
【発明の概要】
【発明が解決しようとする課題】
【０００５】
しかしながら、機器の種類によってケース内における他の部材の設置スペースとの兼ね合いにより、可撓片にフランジを設定できない場合がある。この場合、可撓片自体を装着凹部の内壁に干渉させることでケース側コネクタの回り止めを行うことになるが、可撓片自体が弾性変形することから、ケース側コネクタの回り止めを十分に行うことができない。
【課題を解決するための手段】
【０００６】
本明細書によって開示されるケース側コネクタは、機器のケースの内部に設けられた装着凹部に収容されるケース側コネクタであって、一対の第１外側面が第１の方向に並んで平行に配置され、一対の第２外側面が前記第１の方向とは異なる第２の方向に並んで平行に配置されたハウジングと、前記一対の第１外側面にそれぞれ設けられ、前記第１の方向に撓み可能な一対の抜け止め片と、前記一対の第２外側面にそれぞれ設けられ、前記第２の方向に撓み可能な一対の位置決め片と、前記一対の抜け止め片の先端部にそれぞれ設けられ、前記装着凹部の内壁に設けられた一対の被係止部と係止することで前記ハウジングが前記装着凹部において抜け止めされる一対の係止部と、前記第２外側面に突設され、前記装着凹部の内壁に設けられたリブに干渉可能な回り止め突部とを備えた構成とした。
【０００７】
このような構成によると、抜け止め片の係止部を装着凹部の被係止部に係止させることにより、ハウジングが装着凹部において抜け止めされる。また、一対の抜け止め片によってハウジングが第１の方向に移動可能とされ、一対の位置決め片によってハウジングが第２の方向に移動可能とされているため、相手側コネクタとの嵌合の際に、芯ずれを吸収することができる。さらに、回り止め突部をリブに干渉させることでハウジングの回り止めを行うことができる。
【０００８】
すなわち、撓み可能な位置決め片に回り止め突部を設けるのではなく、第２外側面に回り止め突部を設けてこの回り止め突部を装着凹部の内壁に干渉させるようにしたから、回り止め突部によってハウジングの回り止めを確実に行うことができる。また、位置決め片の先端部に係止部が設けられていないから、ケース側コネクタの設置スペースが狭い場合（第２外側面とこれに対向する装着凹部の内側面とが近い場合）においても、ハウジングを装着凹部に収容することができる。したがって、ケース側コネクタの設置スペースが狭い場合でも、回り止めを確実に行うことができる。
【０００９】
本明細書によって開示されるケース側コネクタは、以下の構成としてもよい。
前記抜け止め片は、前記第１の方向と前記第２の方向の双方に直交する第３の方向に片持ち状をなして延出する形態とされている構成としてもよい。
このような構成によると、抜け止め片が第２の方向ではなく第３の方向に延出しているから、設置スペースの制約を受けずに抜け止め片の長さを設定することができる。
【００１０】
前記位置決め片は、前記抜け止め片とは反対方向に片持ち状をなして延出する形態とされている構成としてもよい。
このような構成によると、位置決め片が第２の方向ではなく第３の方向に延出しているから、設置スペースの制約を受けずに位置決め片の長さを設定することができる。
【００１１】
前記一対の回り止め突部は、前記第３の方向において前記一対の位置決め片の先端側に配されている構成としてもよい。
このような構成によると、位置決め片の先端部と回り止め突部とが近くに配されるため、回転方向の力を受けた際に、位置決め片の先端部が装着凹部の内壁に干渉することを回避しやすい。
【００１２】
前記一対の回り止め突部は、前記第２外側面における一側縁部に片寄って配されている構成としてもよい。
このような構成によると、一対の回り止め突部が回転非対称となるため、ケース側コネクタを装着凹部へ収容する際に、誤結防止がしやすくなる。
【００１３】
前記リブは、前記装着凹部の入口部分において前記装着凹部への収容方向とは反対方向に突出して設けられている構成としてもよい。
このような構成によると、ケース側コネクタを装着凹部へ収容する際に、リブが見やすくなり、装着凹部に対する誤結防止をしやすくなる。
【発明の効果】
【００１４】
本明細書によって開示されるケース側コネクタによれば、ケース側コネクタの設置スペースが狭い場合でも、回り止めを確実に行うことができる。
【図面の簡単な説明】
【００１５】
【図１】ケース側コネクタが装着凹部に装着された状態を開口部側から見た背面図
【図２】図１におけるＡ−Ａ線断面図
【図３】図１におけるＢ−Ｂ線断面図
【図４】ケース側コネクタが回り止めされた状態を示した背面図
【図５】ケース側コネクタの斜視図
【図６】ケース側コネクタの正面図
【図７】ケース側コネクタの背面図
【図８】ケース側コネクタの底面図
【図９】ケース側コネクタの平面図
【図１０】ケース側コネクタの側面図
【発明を実施するための形態】
【００１６】
＜実施形態＞
実施形態を図１から図１０の図面を参照しながら説明する。本実施形態のケース側コネクタ１０は、機器のケースの内部で用いられる機器用コネクタである。機器のケースの内部には、図１から図３に示すように、端子台４０が配設されており、この端子台４０に装着凹部４１が設けられている。この装着凹部４１にケース側コネクタ１０が装着されており、このケース側コネクタ１０に対して相手側コネクタ５０が嵌合可能とされている。ケース側コネクタ１０と相手側コネクタ５０が嵌合すると、インターロック回路がつながった状態になって通電可能な状態に切り替わる。なお、以下の説明においては相手側コネクタ５０との嵌合面側を前側とし、上下左右については図１を基準とする。
【００１７】
装着凹部４１は、図２に示すように、前後方向に貫通する孔であって、前方に開口する形態をなす前側凹部４２と、後方に開口する形態をなす後側凹部４３と、前側凹部４２と後側凹部４３を連通させる連通凹部４４とを備えて構成されている。図１は、後側凹部４３から見た背面図であって、後側凹部４３の内壁における左右両側は、複数の第１リブ４５と複数の第２リブ４６とが設けられている。また、図３に示すように、連通凹部４４の内壁における上下両側には、一対の被係止部４７が設けられている。
【００１８】
第１リブ４５は、図１に示すように、後側凹部４３の内壁における上側の左右両側に一対設けられている。第１リブ４５は平板状をなして後方に突出する形態とされている。第２リブ４６は、一対の第１リブ４５の下方にそれぞれ位置して一対設けられている。第２リブ４６はクランク状をなし、第１リブ４５と対向する対向リブ４６Ａと、この対向リブ４６Ａの内側端部から下方に延びる縦リブ４６Ｂと、この縦リブ４６Ｂの下端部から内側に延びる横リブ４６Ｃとからなる。対向リブ４６Ａと横リブ４６Ｃは平行に配され、対向リブ４６Ａの幅寸法と横リブ４６Ｃの幅寸法とを合わせた幅寸法が、第１リブ４５の幅寸法と同じとされている。
【００１９】
ケース側コネクタ１０は、図５に示すように、略方形のブロック状をなすハウジング２０を有している。このハウジング２０は合成樹脂製であって、前後方向に長い形状とされている。ハウジング２０は、上下一対の第１外側面２１と、左右一対の第２外側面２２とを有している。上下一対の第１外側面２１は互いに平行に配され、左右一対の第２外側面２２は互いに平行に配され、図６に示すように、複数の外側面２１、２２は正面視で横長の長方形状となるように配されている。
【００２０】
ハウジング２０の上下両側には、上下一対の抜け止め片３０が設けられている。各抜け止め片３０は、上下一対の第１外側面２１の後端部から前方に向けて片持ち状に延出する形態とされている。各抜け止め片３０の前端部には、各外側面２１から離れる方向に突出する爪形状の上下一対の係止部３１が設けられている。図３に示すように、ケース側コネクタ１０を後側凹部４３から前側凹部４２に向けて装着すると、各係止部３１が各被係止部４７に前方から係止するようになっており、これによりケース側コネクタ１０が後方へ抜け止めされた状態で端子台４０に装着されている。
【００２１】
ハウジング２０の左右両側には、左右一対の位置決め片３２が設けられている。各位置決め片３２は、左右一対の第２外側面２２の前後方向中央部から後方に向けて片持ち状に延出する形態とされている。位置決め片３２は、抜け止め片３０よりも幅狭となっており、抜け止め片３０とは違って位置決め片３２の先端部には、係止部が設けられていない。したがって、位置決め片３２は、端子台４０に対する係止機能を有していない。各抜け止め片３０と各位置決め片３２は、いずれも弾性的に撓み変形可能とされている。図２および図３に示すように、各抜け止め片３０と各位置決め片３２は、連通凹部４４の内壁に当接しており、ケース側コネクタ１０を装着凹部４１においてセンタリングするように作用している。また、相手側コネクタ５０がケース側コネクタ１０に対して芯ずれした状態で嵌合が行われた場合に、相手側コネクタ５０の位置に合わせてケース側コネクタ１０を移動させることで芯ずれを吸収した上で嵌合できるようになっている。
【００２２】
また、ハウジング２０の左右両側における後端部には、上下一対の保護壁３３が立設されている。これらの保護壁３３は、図６に示すように、前方から見ると位置決め片３２の上下両側に配され、図１０に示すように、側方から見ると位置決め片３２の先端の上下両側に配されている。これにより、位置決め片３２の先端が一対の保護壁３３によって保護される。
【００２３】
上側の保護壁３３の上面には、上方に延びる縦壁３４が立設され、下側の保護壁３３の下面には、下方に延びる縦壁３４が立設されている。また、上側の縦壁３４の前端部には、側方に張り出す回り止め突部３５が設けられている。図１０に示すように、保護壁３３と縦壁３４は、同じ幅寸法でかつ平板状とされているのに対して、回り止め突部３５は、縦壁３４よりも小さい幅寸法でかつ棒状とされている。また、回り止め突部３５は、縦壁３４の前端よりも前側にオフセットして配されている。回り止め突部３５の下面と位置決め片３２の先端上面とは、上下方向に対向する配置とされている。さらに、位置決め片３２の基端部と抜け止め片３０の係止部３１とは、前後方向においてほぼ揃うように配されている。なお、一対の回り止め突部３５は、第２外側面２２における上側縁部に配されており、後方から見た場合に、ケース側コネクタ１０の軸心に関して回転非対称となるように設けられている。
【００２４】
図１に示すように、第１リブ４５と第２リブ４６の間には、前止まり用の突当面４８が設けられている。この突当面４８は、後方に臨んで配されている。回り止め突部３５が第１リブ４５と対向リブ４６Ａの間に進入すると、回り止め突部３５が突当面４８に後方から当接することでケース側コネクタ１０の前止まりがなされる。このように第１リブ４５と第２リブ４６が後方に臨んで配されていることにより、回り止め突部３５を第１リブ４５と第２リブ４６の間に挿入しやすくなり、ケース側コネクタ１０の端子台４０に対する誤結防止がしやすくなる。
【００２５】
本実施形態は以上のような構成であって、続いてその作用を説明する。ケース側コネクタ１０を端子台４０の装着凹部４１に対して後方から挿入すると、一対の係止部３１が一対の被係止部４７の乗上面４７Ａに乗り上げつつ抜け止め片３０が弾性変形し、一対の係止部３１が一対の乗上面４７Ａを乗り越えると抜け止め片３０が弾性復帰して、図３に示すように、一対の係止部３１と一対の被係止部４７の係止面４７Ｂとが係止した状態となる。また、一対の回り止め突部３５が一対の突当面４８に当接することでケース側コネクタ１０が前止まりされる。これにより、ケース側コネクタ１０が後方に抜け止めされた状態で装着凹部４１に収容される。
【００２６】
また、上側の抜け止め片３０は上側の被係止部４７の乗上面４７Ａに当接し、下側の係止部３１は下側の被係止部４７の乗上面４７Ａに当接した状態となる。一方、一対の位置決め片３２は、図２に示すように装着凹部４１に収容されると、連通凹部４４の内壁における左右両側面によってわずかに弾性変形した状態となる。したがって、左側の位置決め片３２は連通凹部４４の内壁における左側面に当接し、右側の位置決め片３２は連通凹部４４の内壁における右側面に当接した状態となる。これにより、ケース側コネクタ１０は、装着凹部４１においてセンタリングされる。また、各可撓片３０、３２が必要に応じて弾性変形することで相手側コネクタ５０との嵌合時における芯ずれを吸収することができる。
【００２７】
次に、ケース側コネクタ１０が例えば反時計回り方向に力を受けた場合について、図４を参照しながら説明する。本実施形態では、４つの干渉ポイントＩ１、Ｉ２、Ｉ３、Ｉ４でケース側コネクタ１０が装着凹部４１の内壁に当接することによってケース側コネクタ１０の回り止めがなされるものを例示している。干渉ポイントＩ１は、左側の回り止め突部３５が左側の対向リブ４６Ａの上面に上方から当接する点である。干渉ポイントＩ２は、右側の回り止め突部３５が右側の第１リブ４５の下面に下方から当接する点である。干渉ポイントＩ３は、下側の係止部３１が連通凹部４４の内壁における右側面に左方から当接する点である。干渉ポイントＩ４は、上側の係止部３１が連通凹部４４の内壁における左側面に右方から当接する点である。
【００２８】
干渉ポイントＩ１、Ｉ２については、一対の回り止め突部３５が位置決め片３２ではなく第２外側面２２に対して変形しにくい態様で設けられており、ケース側コネクタ１０の回り止めを確実に行うことができるようになっている。また、干渉ポイントＩ３、Ｉ４については、抜け止め片３０が位置決め片３２よりも幅広でかつ第１外側面２１と同幅で形成されていることから、係止部３１が連通凹部４４の内壁に側方から当接しても抜け止め片３０が側方に変形しにくくなっており、ケース側コネクタ１０の回り止めを確実に行うことができるようになっている。また、後方に臨んで配された第１リブ４５と対向リブ４６Ａの間に回り止め突部３５を後方から挿入すればよいから、ケース側コネクタ１０を装着凹部４１に挿入する作業が視認しやすくなり、例えばケース側コネクタ１０を装着凹部４１に対して上下逆に挿入してしまうことを未然に回避できる。
【００２９】
以上のように本実施形態では、抜け止め片３０の係止部３１を装着凹部４１の被係止部４７に係止させることにより、ハウジング２０が装着凹部４１において抜け止めされる。また、一対の抜け止め片３０によってハウジング２０が第１の方向（上下方向）に移動可能とされ、一対の位置決め片３２によってハウジング２０が第２の方向（左右方向）に移動可能とされているため、相手側コネクタ５０との嵌合の際に、芯ずれを吸収することができる。さらに、回り止め突部３５をリブ（第１リブ４５、第２リブ４６）に干渉させることでハウジング２０の回り止めを行うことができる。
【００３０】
すなわち、撓み可能な位置決め片３２に回り止め突部を設けるのではなく、第２外側面２２に回り止め突部３５を設けてこの回り止め突部３５を装着凹部４１の内壁に干渉させるようにしたから、回り止め突部３５によってハウジング２０の回り止めを確実に行うことができる。また、位置決め片３２の先端部に係止部が設けられていないから、ケース側コネクタ１０の設置スペースが左右方向に狭い場合（第２外側面２２とこれに対向する装着凹部４１の内側面とが近い場合）においても、ハウジング２０を装着凹部４１に収容することができる。したがって、ケース側コネクタ１０の設置スペースが狭い場合でも、回り止めを確実に行うことができる。
【００３１】
抜け止め片３０は、第１の方向と第２の方向の双方に直交する第３の方向（前後方向）に片持ち状をなして延出する形態とされている構成としてもよい。
このような構成によると、抜け止め片３０が第２の方向ではなく第３の方向に延出しているから、設置スペースの制約を受けずに抜け止め片３０の長さを設定することができる。
【００３２】
位置決め片３２は、抜け止め片３０とは反対方向に片持ち状をなして延出する形態とされている構成としてもよい。
このような構成によると、位置決め片３２が第２の方向ではなく第３の方向に延出しているから、設置スペースの制約を受けずに位置決め片３２の長さを設定することができる。
【００３３】
一対の回り止め突部３５は、第３の方向において一対の位置決め片３２の先端側に配されている構成としてもよい。
このような構成によると、位置決め片３２の先端部と回り止め突部３５とが近くに配されるため、回転方向の力を受けた際に、位置決め片３２の先端部が装着凹部４１の内壁に干渉することを回避しやすい。
【００３４】
一対の回り止め突部３５は、第２外側面２２における一側縁部に片寄って配されている構成としてもよい。
このような構成によると、一対の回り止め突部３５が回転非対称となるため、ケース側コネクタ１０を装着凹部４１へ収容する際に、誤結防止がしやすくなる。
【００３５】
リブは、装着凹部４１の入口部分（後側凹部４３）において装着凹部４１への収容方向とは反対方向に突出して設けられている構成としてもよい。
このような構成によると、ケース側コネクタ１０を装着凹部４１へ収容する際に、リブが見やすくなり、装着凹部４１に対する誤結防止をしやすくなる。
【００３６】
＜他の実施形態＞
本明細書によって開示される技術は上記記述及び図面によって説明した実施形態に限定されるものではなく、例えば次のような種々の態様も含まれる。
（１）上記実施形態では、ハウジング２０が４つの外側面２１、２２を有するものを例示しているものの、外側面の数は６つでもよいし、８つでもよい。
【００３７】
（２）上記実施形態では、各可撓片３０、３２が常には連通凹部４４の内壁に当接することで常時センタリング機能を発揮しているものの、必ずしも各可撓片が連通凹部４４の内壁に当接している必要はなく、各可撓片と連通凹部４４の内壁との間にわずかなクリアランスがあるものでもよい。
【００３８】
（３）上記実施形態では、第１リブ４５と第２リブ４６が別々に設けられているものの、第１リブと第２リブを連結させて一続きのリブとしてもよい。
【００３９】
（４）上記実施形態では、４つの干渉ポイントＩ１〜Ｉ４でケース側コネクタ１０が装着凹部４１の内壁に当接しているものの、干渉ポイントＩ３、Ｉ４については必須ではなく、干渉ポイントＩ１、Ｉ２の少なくとも一方でケース側コネクタ１０が装着凹部４１の内壁に当接するものでもよい。
【００４０】
（５）上記実施形態では、抜け止め片３０と位置決め片３２が前後方向に延出する形態とされているものの、抜け止め片が左右方向に延出する形態としてもよいし、位置決め片が上下方向に延出する形態としてもよい。
【００４１】
（６）上記実施形態では、抜け止め片３０と位置決め片３２が反対方向を向いて延出する形態とされているものの、抜け止め片と位置決め片が同じ方向を向いて延出する形態としてもよい。
【００４２】
（７）上記実施形態では、回り止め突部３５が位置決め片３２の先端付近に配されているものの、回り止め突部を位置決め片３２の基端付近に配してもよい。
【００４３】
（８）上記実施形態では、複数のリブ４５、４６が装着凹部４１の入口部分、すなわち後側凹部４３の内壁に設けられているものの、複数のリブを前側凹部４２の内壁に設けてもよい。
【００４４】
（９）上記実施形態では、一対の回り止め突部３５が第２外側面２２における上側縁部に配されているものの、一対の回り止め突部を第２外側面２２における下側縁部に配してもよい。
【符号の説明】
【００４５】
１０…ケース側コネクタ
２０…ハウジング
２１…第１外側面
２２…第２外側面
３０…抜け止め片
３１…係止部
３２…位置決め片
３５…回り止め突部
４１…装着凹部
４３…後側凹部（入口部分）
４５…第１リブ
４６…第２リブ
４７…被係止部
５０…相手側コネクタ
【図１】
0006304544.tif 000002
【図２】
0006304544.tif 000003
【図３】
0006304544.tif 000004
【図４】
0006304544.tif 000005
【図５】
0006304544.tif 000006
【図６】
0006304544.tif 000007
【図７】
0006304544.tif 000008
【図８】
0006304544.tif 000009
【図９】
0006304544.tif 000010
【図１０】
0006304544.tif 000011